(57)【要約】【課題】異なる編地の境界における引き裂き強度の向上を図り、品質が向上された伸縮性経編地を提供する。【解決手段】伸縮性経編地１０は、ネット目を有するネット部２０と伸縮性に優れたパワー部３０とが緯方向に連続するように形成されている。パワー部３０は、各コースに対して第１の非弾性糸４０Ａを左右のウェール方向に交互に移行するように編み込まれ、且つ、第１の非弾性糸４０Ａが編み込み方向に対して１コース分進むごとにループしている。ネット部２０は、第１の非弾性糸４０Ａと交差するととともに略対称を成すように編み込まれた第２の非弾性糸５０Ｂと、第１の非弾性糸を各コースに交互に編み込んで編成されている。さらに、ネット部２０は、パワー部３０側の第１の非弾性糸４０Ａと、第２の非弾性糸５０Ｂが境目のコース上の同じ位置でループを形成するように編み込まれている。【選択図】図１
2013234399.tif 000002
【特許請求の範囲】
【請求項１】
ネット目を有するネット部と伸縮性に優れたパワー部とが緯方向に連続するように形成された伸縮性経編地であって、
前記パワー部は、各コースに対して第１の非弾性糸を左右のウェール方向に交互に移行するように編み込まれ、且つ、前記第１の非弾性糸が編み込み方向に対して１コース分進むごとにループしており、
前記ネット部は、前記第１の非弾性糸と、前記第１の非弾性糸と交差するとともに、略対称を成すように編み込まれた第２の非弾性糸とを各コースに交互に編み込んで編成されており、且つ、前記ネット部との境目に位置するコース上において前記パワー部側の前記第１の非弾性糸と同じ位置でループを形成するように前記境目のコースの前記ネット部側に隣接するコースに前記第２の非弾性糸が編み込まれるように形成されている、伸縮性経編地。
【請求項２】
前記境目に位置するコースには、前記第１の非弾性糸が編み込まれている、請求項１に記載の伸縮性経編地。
【請求項３】
前記第１の非弾性糸及び前記第２の非弾性糸の１繰り返し単位当たりの振り幅は、左右のウェール方向に対して２コース分以上となるように設定されている、請求項１または２に記載の伸縮性経編地。
【発明の詳細な説明】
【技術分野】
【０００１】
本発明は、伸縮性経編地に関する。
【背景技術】
【０００２】
従来、経編地において、鎖編組織部と、この鎖編組織部とは異なる組織で編成された別組織部とが並べて設けられたものがある（例えば特許文献１参照）。経編地の編成時において、第１の地筬により導糸される非弾性糸によって鎖編組織部編成され、第１の地筬とは別の地筬により導糸される糸によって別組織部が編成されている。
【０００３】
経編地において、主編地とパワー強化編地とが並べて設けられたものがある（例えば特許文献２参照）。特許文献２の編地では、パワー強化編地の給糸量を、主編地の給糸量よりも大きくすることによって、編地のパッカリングやカーリングの防止を図っている。
【先行技術文献】
【特許文献】
【０００４】
【特許文献１】特開２００９−１４４２５３２号公報
【特許文献２】特開平１０−２５９５５５号公報
【発明の概要】
【発明が解決しようとする課題】
【０００５】
従来の技術では、異なる編地の境界における引き裂き強度の向上が求められている。編地の境界において応力集中が発生した場合の引き裂き強度の低下が懸念されている。本発明は、このような課題を解決するために成されたものであり、異なる編地の境界における引き裂き強度の向上を図り、品質が向上された伸縮性経編地を提供することを目的とする。
【課題を解決するための手段】
【０００６】
本発明による伸縮性経編地は、ネット目を有するネット部と伸縮性に優れたパワー部とが緯方向に連続するように形成された伸縮性経編地であって、パワー部は、各コースに対して第１の非弾性糸を左右のウェール方向に交互に移行するように編み込まれ、且つ、第１の非弾性糸が編み込み方向に対して１コース分進むごとにループしている。ネット部は、第１の非弾性糸と交差するととともに略対称を成すように編み込まれた第２の非弾性糸と、第１の非弾性糸を各コースに交互に編み込んで編成されている。さらに、ネット部は、パワー部側の第１の非弾性糸と、ネット部の第２の非弾性糸が境目のコース上の同じ位置でループを形成するように編み込まれている。パワー部は、ネット部と比較して伸縮性に優れている。なお、伸縮性に優れているとは、引き伸ばされた状態で編地に生じる復元力が相対的に大きいことを意味する。
【０００７】
この伸縮性経編地は、ネット部とパワー部の境目のコースに隣接するコースにパワー部を形成する第１の非弾性糸と略対称を成す第２の非弾性糸とを編み込んでいる。そのため、パワー部を形成する第１の非弾性糸と上記第２の非弾性糸とがネット部とパワー部の境目のコース上の同じ位置でループを形成し、互いに締め合うように編成されている。
【０００８】
この結果、境目部分の編地にテンションが付与されたときに、そのテンションを２つの非弾性糸によって分散支持することができる。この結果、引き裂き強度が向上する。
【０００９】
境目に位置するコースには、第１の非弾性糸が編み込まれていてもよい。境目上のコースにも第１の非弾性糸を編みこむことによって、境目のコース上に作用するテンションをより分散させることができる。
【００１０】
第１の非弾性糸及び前記第２の非弾性糸の１繰り返し単位当たりの振り幅は、左右のウェール方向に対して２コース分以上となるように設定されていてもよい。
【発明の効果】
【００１１】
本発明によれば、ネット部とパワー部との境界の引き裂き強度の向上が図られた伸縮性経編地を提供することができる。
【図面の簡単な説明】
【００１２】
【図１】本発明の第１実施形態に係る伸縮性経編地の組織図である。
【図２】図１中のパワーネットの各組織を示す組織図である。
【図３】図１中のパワーネットの組織図である。
【図４】図１中のツーウェイラッセルの各組織を示す組織図である。
【図５】図１中のツーウェイラッセルの組織図である。
【図６】図３に示すパワーネット及び図５に示すツーウェイラッセルを隣接させて編成した場合の組織図である。
【図７】本発明の第２実施形態に係る伸縮性経編地の組織図である。
【図８】図７中のツーウェイラッセルの各組織を示す組織図である。
【図９】図７中のツーウェイラッセルの組織図である。
【図１０】本発明の第３実施形態に係る伸縮性編地の組織図である。
【図１１】図１０中のパワーネットの各組織を示す組織図である。
【図１２】図１０中のパワーネットの組織図である。
【図１３】図１０中のツーウェイラッセルの各組織を示す組織図である。
【図１４】図１０中のツーウェイラッセルの組織図である。
【図１５】図１２に示すパワーネット及び図１４に示すツーウェイラッセルを隣接させて編成した場合の組織図である。
【図１６】本発明の第４実施形態に係る伸縮性編地の組織図である。
【図１７】図１６中のツーウェイラッセルの各組織を示す組織図である。
【図１８】本発明の第５実施形態に係る伸縮性編地のツーウェイラッセルの各組織を示す組織図である。
【図１９】本発明の第６実施形態に係る伸縮性編地の組織図である。
【図２０】図１９中のパワーネットの各組織を示す組織図である。
【図２１】図１９中のパワーネットの組織図である。
【図２２】図１９中のツーウェイラッセルの各組織を示す組織図である。
【図２３】図１９中のツーウェイラッセルの組織図である。
【図２４】図２１に示すパワーネット及び図２３に示すツーウェイラッセルを隣接させて編成した場合の組織図である。
【図２５】本発明の第７実施形態に係る伸縮性編地の組織図である。
【図２６】図２５中のパワーネットの各組織を示す組織図である。
【図２７】図２５中のパワーネットの組織図である。
【図２８】図２５中のツーウェイラッセルの各組織を示す組織図である。
【図２９】図２５中のツーウェイラッセルの組織図である。
【図３０】図２７に示すパワーネット及び図２９に示すツーウェイラッセルを隣接させて編成した場合の組織図である。
【図３１】図７中の挿入組織Ｅの他の変形例を示す組織図である。
【図３２】図１９中の挿入組織Ｅの他の変形例を示す組織図である。
【図３３】図３０中の挿入組織Ｅの他の変形例を示す組織図である。
【発明を実施するための形態】
【００１３】
以下、本発明による伸縮性経編地の好適な実施形態について図面を参照しながら説明する。なお、図面の説明において同一または相当要素には同一の符号を付し、重複する説明は省略する。
【００１４】
（第１実施形態）
図１に示す編地１０（伸縮性経編地）は、パワーネット２０（ネット部）とツーウェイラッセル３０（パワー部）とを備えている。パワーネット２０とツーウェイラッセル３０とは、ウェール方向に隣接している（緯方向に連続している）。なお、ウェール方向とは、矢印Ｘで示す左右方向を示している。コース方向とは、矢印Ｙで示す上下方向、すなわち各編成組織を構成する糸が編み込まれている方向を示している。図１の組織図では、黒点が各コースにおける１コース分の進み幅を示しており、糸が矢印Ｙ方向に編み込まれるときに、各コースにおいてどのような編み方をされるかを示している。
【００１５】
図１では、各コースに対応して、左から右へ順に、Ｘ−１１、Ｘ−１２、Ｘ−１３、Ｘ−１４、Ｌ、Ｘ―１５…、と符号を付している。なお、符号Ｌは、パワーネット２０とツーウェイラッセル３０との境目のコースを示している。また、下方から上方へ順に１コース分進むごとに、Ｙ−１、Ｙ−２、Ｙ−３、…、と符号を付している。なお、Ｙ−１２、Ｙ−１１、Ｙ−１０、…、の順に編み込まれており、Ｙ−１の位置が図示しない筬によって各編成組織が編みこまれている位置を示している。
【００１６】
パワーネット２０は、編成組織Ａ（第１の非弾性糸、４０Ａ）と、編成組織Ｂ（第２の非弾性糸、５０Ｂ）と、編成組織Ｃ（６０Ｃ）と、編成組織Ｄ（７０Ｄ）と、を有する。
【００１７】
図２は、図１中のパワーネット２０の各組織を示す組織図である。図２の組織図では、糸の編成をニードルの位置によって表す目的で、各糸がガイドバーに案内されて通過する最も右側のコース間の位置を０とし、そこから順に左側に１，２，３・・・の番号を付している。また、下方から上方へ順に１コース分進むごとに、Ｙ−１、Ｙ−２、Ｙ−３、…、と符号を付している。
【００１８】
編成組織Ａ（４０Ａ）を編成する際の筬の動きは、１繰り返し単位を１０／１２／２１／２３／２１／１２／／で表現することができる。編成組織Ａの編糸は、非弾性糸（第１の非弾性糸）からなる。編成組織Ａは、１コース進むごとにループを形成している。
【００１９】
編成組織Ａは、位置Ｙ−１で閉じ目を形成し、左へ１ウェール分の振り幅として１コース分進み、位置Ｙ−２に至る。編成組織Ａは、位置Ｙ−２で開き目を形成し、ウェール方向には移動せず１コース分進み、位置Ｙ−３に至る。編成組織Ａは、位置Ｙ−３で閉じ目を形成し、左へ１ウェール分の振り幅として１コース分進み、位置Ｙ−４に至る。
【００２０】
編成組織Ａは、位置Ｙ−４で閉じ目を形成し、右へ１ウェール分の振り幅として１コース分進み、位置Ｙ−５に至る。編成組織Ａは、位置Ｙ−５で開き目を形成し、ウェール方向には移動せず１コース分進み、位置Ｙ−６に至る。編成組織Ａは、位置Ｙ−６で閉じ目を形成し、右へ１ウェール分の振り幅として１コース分進み、位置Ｙ−７に至る。そして、これらを繰り返し単位として、編成組織Ａを形成する。
【００２１】
編成組織Ｂ（５０Ｂ）を編成する際の筬の動きは、２３／２１／１２／１０／１２／２１／／で表現することができる。編成組織Ｂの編糸は、非弾性糸（第２の非弾性糸）からなる。編成組織Ｂは、コース方向に１コース進むごとにループを形成している。
【００２２】
編成組織Ｂは、位置Ｙ−１で閉じ目を形成し、右へ１ウェール分の振り幅として１コース分進み、位置Ｙ−２に至る。編成組織Ｂは、位置Ｙ−２で開き目を形成し、ウェール方向には移動せず１コース分進み、位置Ｙ−３に至る。編成組織Ｂは、位置Ｙ−３で閉じ目を形成し、右へ１ウェール分の振り幅として１コース分進み、位置Ｙ−４に至る。
【００２３】
編成組織Ｂは、位置Ｙ−４で閉じ目を形成し、左へ１ウェール分の振り幅として１コース分進み、位置Ｙ−５に至る。編成組織Ａは、位置Ｙ−５で開き目を形成し、ウェール方向には移動せず１コース分進み、位置Ｙ−６に至る。編成組織Ａは、位置Ｙ−６で閉じ目を形成し、左へ１ウェール分の振り幅として１コース分進み、位置Ｙ−７に至る。そして、これらを繰り返し単位として、編成組織Ｂを形成する。
【００２４】
編成組織Ａ及び編成組織Ｂは、緯方向（ウェール方向）において、対称に配置されており、互いに交差するように編成されている。編成組織Ａ及び編成組織Ｂで使用される非弾性糸としては、例えばナイロン糸、ポリエステル糸が挙げられる。
【００２５】
編成組織Ｃ（６０Ｃ）を編成する際の筬の動きは、１１／００／／で表現することができる。編成組織Ｃの編糸は、弾性糸（第１の弾性糸）からなる。編成組織Ｃは、１コースごとに１ウェール分の振り幅で左右方向に振られている。
【００２６】
編成組織Ｄ（７０Ｄ）を編成する際の筬の動きは、００／１１／／で表現することができる。編成組織Ｄの編糸は、弾性糸（第２の弾性糸）からなる。編成組織Ｄは、１コースごとに１ウェール分の振り幅で左右方向に振られている。
【００２７】
編成組織Ｃ及び編成組織Ｄは、緯方向において、対象に配置された挿入組織である。編成組織Ａ及び編成組織Ｂで使用される弾性糸としては、例えばスパンデックス糸が挙げられる。
【００２８】
図３は、図１中のパワーネット２０を示す組織図である。図３では、左から右へ順に、各コースに対応してＸ−１、Ｘ−２、Ｘ−３、Ｘ−１４、Ｌ、Ｘ―１５…、と符号を付している。なお、符号Ｌは、パワーネット２０とツーウェイラッセル３０との境目のコースを示している。
【００２９】
図３に示すパワーネット２０の編成組織Ａ（４０Ａ）は、位置Ｙ−１において、コース上の位置Ｘ−１に編糸が配置されず、コース上の位置Ｘ−２に編糸が配置されている。すなわち、位置Ｙ−１のウェール方向において、１コース分の間隔を空けて、複数の編成組織Ａが配置されている。位置Ｙ−１において、編成組織Ａは、Ｘ−２、Ｘ−４、Ｘ−６、Ｘ−８、Ｘ−１０、Ｘ−１２、Ｘ−１４の各コース上に配置されている。
【００３０】
パワーネット２０の編成組織Ｂ（５０Ｂ）は、位置Ｙ−１において、コース上の位置Ｘ−１に編糸が配置されず、コース上の位置Ｘ−２に編糸が配置されている。すなわち、位置Ｙ−１のウェール方向において、１コース分の間隔を空けて、複数の編成組織Ｂが配置されている。位置Ｙ−１において、編成組織Ｂは、コース上の位置Ｘ−２、Ｘ−４、Ｘ−６、Ｘ−８、Ｘ−１０、Ｘ−１２に配置されている。パワーネット２０では、最も右側のコース上の位置Ｘ−１４に編成組織Ｂの編糸が配置されていない。
【００３１】
図４は、図１中のツーウェイラッセル３０の各組織を示す組織図である。ツーウェイラッセル３０は、編成組織Ａ（４０Ａ）と、編成組織Ｃ（６０Ｃ）と、を有する。ツーウェイラッセル３０は、ネット目を有するパワーネット２０と比較して伸縮性に優れている。ここで、伸縮性に優れているとは、ツーウェイラッセル３０を引き伸ばしたときの復元力の大きさが、パワーネット２０を引き伸ばしたときの復元力の大きさよりも相対的に大きいことを意味する。
【００３２】
図５は、図１中のツーウェイラッセル３０を示す組織図である。ツーウェイラッセル３０の編成組織Ａ（４０Ａ）は、位置Ｙ−１において、コース上の位置Ｘ−１５に編糸が配置されず、コース上の位置Ｘ−１６、Ｘ−１７、…、Ｘ−２８に編糸が配置されている。位置Ｙ−１において、コース上の位置Ｘ−１６以降、間隔を空けずに全てのコース上の位置に編成組織Ａの編糸が配置されている。
【００３３】
ツーウェイラッセル３０の編成組織Ｃ（６０Ｃ）は、位置Ｙ−１において、全てのコースＸ−１５、Ｘ−１６、…、Ｘ−２８に編糸が配置されている。
【００３４】
図６に示した組織図は、仮想的にコースの位置Ｘ−１４に編み込まれた第２境界組織Ｂ（５０Ｂ１４）と、コースの位置Ｘ−１５に編み込まれた第１境界組織Ａ（４０Ａ１５）とを取り除いた状態を示している。図６中、下側に二重線を付している箇所は、上記第２境界組織Ｂ（５０Ｂ１４）と、第１境界組織Ａ（４０Ａ１５）とがそれぞれループしている箇所を示したものである。第２境界組織Ｂと第１境界組織Ａとの非弾性糸は、コースＬ上でＹ−２、Ｙ−３、Ｙ−５、Ｙ−６、Ｙ−８、Ｙ−９、Ｙ−１１、Ｙ−１２・・・の位置でループを形成し、互いに締め合うように編成されている。このため、パワーネット２０とツーウェイラッセル３０とを引き離そうとする力が作用しても上記の２つの非弾性糸によって上記の力を分散して支持することができる。
【００３５】
ここで、本実施形態の編地１０は、パワーネット２０とツーウェイラッセル３０との境界部において、パワーネット２０及びツーウェイラッセル３０の両方に編み込まれた第１境界組織Ａ（４０Ａ１５）及び第２境界組織Ｂ（５０Ｂ１４）を備えている。第１境界組織Ａ及び第２境界組織Ｂは、図１において太線で図示されている。
【００３６】
第１境界組織Ａ（４０Ａ１５）は、上述した編成組織Ａ（４０Ａ）と同じ組織である。第１境界組織Ａの編糸は、位置Ｙ−１においては、コース上の位置Ｘ−１５に配置されている。第１境界組織Ａは、位置Ｙ−１においては、Ｘ−１５に閉じ目を形成し、左へ１ウェール分の振り幅として１コース分進み、位置Ｙ−２に至る。第１境界組織Ａは、位置Ｙ−２においては、コースＬ上に開き目を形成し、ウェール方向には移動せず１コース分進み、位置Ｙ−３に至る。第１境界組織Ａは、位置Ｙ−３においては、コースＬ上において閉じ目を形成し、左へ１ウェール分の振り幅として１コース分進み、位置Ｙ−４に至る。
【００３７】
第１境界組織Ａ（４０Ａ１５）は、位置Ｙ−４においては、コースＬ上に閉じ目を形成し、右へ１ウェール分の振り幅として１コース分進み、位置Ｙ−５に至る。第１境界組織Ａは、位置Ｙ−５においては、コースＬに対応する位置に開き目を形成し、ウェール方向には移動せず１コース分進み、位置Ｙ−６に至る。第１境界組織Ａは、位置Ｙ−６においては、コースＬに対応する位置に閉じ目を形成し、右へ１ウェール分の振り幅として１コース分進み、位置Ｙ−７に至る。そして、これらを繰り返し単位として、編成組織を形成する。
【００３８】
第２境界組織Ｂ（５０Ｂ１４）は、上述した編成組織Ｂ（５０Ｂ）と同じ組織である。第２境界組織Ｂの編糸は、位置Ｙ−１においては、コースの位置Ｘ−１４に配置されている。第２境界組織Ｂは、位置Ｙ−１においては、コース上の位置Ｘ−１４に対応する位置に閉じ目を形成し、右へ１ウェール分の振り幅として１コース分進み、位置Ｙ−２に至る。第２境界組織Ｂは、位置Ｙ−２においては、コースＬ上の位置に開き目を形成し、ウェール方向には移動せず１コース分進み、位置Ｙ−３に至る。第２境界組織Ｂは、位置Ｙ−３においては、コースＬ上の位置に閉じ目を形成し、右へ１ウェール分の振り幅として１コース分進み、位置Ｙ−４に至る。
【００３９】
第２境界組織Ｂ（５０Ｂ１４）は、位置Ｙ−４においては、コースの位置Ｘ−１５に閉じ目を形成し、左へ１ウェール分の振り幅として１コース分進み、位置Ｙ−５に至る。第２境界組織Ｂは、位置Ｙ−５においては、コースの位置Ｌに開き目を形成し、ウェール方向には移動せず１コース分進み、位置Ｙ−６に至る。第１境界組織Ａは、位置Ｙ−６においては、コースの位置Ｘ−１４に閉じ目を形成し、左へ１ウェール分の振り幅として１コース分進み、位置Ｙ−７に至る。そして、これらを繰り返し単位として、編成組織を形成する。
【００４０】
第１境界組織Ａ（４０Ａ１５）及び第２編成組織Ｂ（５０Ｂ１４）は、パワーネット２０とツーウェイラッセル３０との間の境界線Ｌを挟んで緯方向（ウェール方向）に対象に配置されている。第１境界組織Ａ及び第２編成組織Ｂで使用される非弾性糸としては、例えばナイロン糸、ポリエステル糸が挙げられる。
【００４１】
このように構成された第１実施形態に係る編地１０によれば、第１境界組織Ａがパワーネット２０及びツーウェイラッセル３０の両方に編み込まれ、第２境界組織Ｂがパワーネット２０及びツーウェイラッセル３０の両方に編み込まれている。これにより、パワーネット２０及びツーウェイラッセル３０の境界部及びその近傍のループ欠損を無くすことができるので、従前と比較して引き裂き強度を向上させることができる。その結果、品質が向上された伸縮性経編地を実現することができる。
【００４２】
なお、上記実施形態では、パワーネット２０は、編成組織Ａ（４０Ａ）、編成組織Ｂ（５０Ｂ）、編成組織Ｃ（６０Ｃ）、編成組織Ｄ（７０Ｄ）から形成される例を挙げているが、本発明はこれに限定されるものではない。パワーネット２０は、例えば、さらに他の弾性糸等からなる挿入組織を備えるようにしてもよい。
【００４３】
なお、上記実施形態では、ツーウェイラッセル３０は、編成組織Ａ（４０Ａ）、編成組織Ｃ（６０Ｃ）から形成される例を挙げているが、本発明はこれに限定されるものではない。ツーウェイラッセル３０は、例えば、さらに他の弾性糸等からなる挿入組織を備えるようにしてもよい。
【００４４】
本発明の実施形態に係る編地１０は、例えば、ガードルなどのボトム衣類、ブラジャーなどのカップ付き衣類などの編地として使用することができる。
【００４５】
（第２実施形態）
次に第２実施形態に係る伸縮性経編地について説明する。図７は、本発明の第２実施形態に係る伸縮性経編地１１の組織図である。図７に示す第２実施形態に係る編地１１が、図１に示す第１実施形態の編地１０と違う点は、ツーウェイラッセル３１に挿入組織８０Ｅが編み込まれている点である。なお、上述した第１実施形態と同一の説明については、省略する。
【００４６】
図７に示す編地１１は、パワーネット２０とツーウェイラッセル３１とを備えている。図８は、図７中のツーウェイラッセル３１の各組織を示す組織図である。ツーウェイラッセル３１は、編成組織Ａ（第１の非弾性糸、４０Ａ）と、編成組織Ｃ（第２の非弾性糸、６０Ｃ）と、挿入組織Ｅ（８０Ｅ）と、を有する。
【００４７】
ツーウェイラッセル３１の引き伸ばされたときの復元力は、パワーネット２０が引き伸ばされたときの復元力よりも相対的に大きくなるように形成されている。
【００４８】
挿入組織Ｅ（８０Ｅ）を編成する際の筬の動きは、３３／２２／３３／００／１１／００／／で表現することができる。挿入組織Ｅ（８０Ｅ）の編糸は、弾性糸からなる。挿入組織Ｅは、位置Ｙ−１から右へ１ウェール分の振り幅として１コース進み、位置Ｙ−２に至る。挿入組織Ｅは、位置Ｙ−２から左へ１ウェール分の振り幅として１コース進み、位置Ｙ−３に至る。挿入組織Ｅは、位置Ｙ−３から右へ３ウェール分の振り幅として１コース進み、位置Ｙ−４に至る。
【００４９】
挿入組織Ｅ（８０Ｅ）は、位置Ｙ−４から左へ１ウェール分の振り幅として１コース進み、位置Ｙ−５に至る。挿入組織Ｅは、位置Ｙ−５から右へ１ウェール分の振り幅として１コース進み、位置Ｙ−６に至る。挿入組織Ｅは、位置Ｙ−６から左へ３ウェール分の振り幅として１コース進み、位置Ｙ−７に至る。そして、これらを繰り返し単位として、挿入組織Ｅを形成する。
【００５０】
図９は、図７中のツーウェイラッセル３１の組織図である。ツーウェイラッセル３１の挿入組織Ｅ（８０Ｅ）は、位置Ｙ−１において、ニードルの位置Ｘ−１２以降、全てのコースに挿入組織Ｅの編糸が配置されている。
【００５１】
ここで、第２実施形態の編地１１は、パワーネット２０とツーウェイラッセル３１との境界部において、パワーネット２０及びツーウェイラッセル３１の両方に編み込まれた第１境界組織Ａ（４０Ａ１５）及び第２境界組織Ｂ（５０Ｂ１４）を備えている。第１境界組織Ａ及び第２境界組織Ｂは、第１実施形態と同じである。
【００５２】
このように構成された第２実施形態に係る編地１１によれば、第１境界組織Ａがパワーネット２０及びツーウェイラッセル３１の両方に編み込まれ、第２境界組織Ｂがパワーネット２０及びツーウェイラッセル３１の両方に編み込まれている。これにより、パワーネット２０及びツーウェイラッセル３１の境界部及びその近傍のループ欠損を無くすことができるので、従前と比較して引き裂き強度を向上させることができる。その結果、品質が向上された伸縮性経編地を実現することができる。
【００５３】
なお、本実施形態では、挿入組織Ｅ（８０Ｅ）は、ウェール方向への振り幅が３コース分である例を挙げているが、本発明はこれに限定されるものではない。例えば、図３１に示すようにウェール方向への振り幅が２コース分となる挿入組織８１Ｅを上記の挿入組織Ｅ（８０Ｅ）の代わりに用いてもよい。なお、挿入組織８１Ｅは、ウェール方向への振り幅が異なる以外は挿入組織Ｅ（８０Ｅ）と同様の構成を有する組織である。
【００５４】
（第３実施形態）
次に第３実施形態に係る伸縮性経編地について説明する。図１０は、本発明の第３実施形態に係る伸縮性経編地１２の組織図である。図１０に示す第３実施形態に係る編地１２が、図７に示す第２実施形態の編地１１と違う点は、編成組織Ａ及び編成組織Ｂの編糸の配置が異なる点である。なお、上述した実施形態と同一の説明については、省略する。
【００５５】
図１０に示す編地１２は、パワーネット２１とツーウェイラッセル３２とを備えている。パワーネット２１とツーウェイラッセル３２とは、ウェール方向に隣接している。ここで、ツーウェイラッセル３２の引き伸ばされたときの復元力は、パワーネット２１が引き伸ばされたときの復元力よりも相対的に大きくなるように設定されている。
【００５６】
パワーネット２１は、編成組織Ａ（第１の非弾性糸、４１Ａ）と、編成組織Ｂ（第２の非弾性糸、５１Ｂ）と、編成組織Ｃ（６０Ｃ）と、編成組織Ｄ（７０Ｄ）と、を有する。
【００５７】
図１１は、図１０中のパワーネット２１の各組織を示す組織図である。編成組織Ａ（４１Ａ）を編成する際の筬の動きは、１０／１２／１０／２３／２１／２３／／で表現することができる。編成組織Ａの編糸は、非弾性糸（第１の非弾性糸）からなる。編成組織Ａは、１コース進むごとにループを形成している。
【００５８】
編成組織Ａは、位置Ｙ−１で閉じ目を形成し、左へ１ウェール分の振り幅として１コース分進み、位置Ｙ−２に至る。編成組織Ａは、位置Ｙ−２で閉じ目を形成し、右へ１ウェール分の振り幅として１コース分進み、位置Ｙ−３に至る。編成組織Ａは、位置Ｙ−３で閉じ目を形成し、左へ２ウェール分の振り幅として１コース分進み、位置Ｙ−４に至る。
【００５９】
編成組織Ａは、位置Ｙ−４で閉じ目を形成し、右へ１ウェール分の振り幅として１コース分進み、位置Ｙ−５に至る。編成組織Ａは、位置Ｙ−５で閉じ目を形成し、左へ１ウェール分の振り幅として１コース分進み、位置Ｙ−６に至る。編成組織Ａは、位置Ｙ−６で閉じ目を形成し、右へ２ウェール分の振り幅として１コース分進み、位置Ｙ−７に至る。そして、これらを繰り返し単位として、編成組織Ａを形成する。
【００６０】
編成組織Ｂ（５１Ｂ）を編成する際の筬の動きは、２３／２１／２３／１０／１２／１０／／で表現することができる。編成組織Ｂの編糸は、非弾性糸（第２の非弾性糸）からなる。編成組織Ｂは、１コース進むごとにループを形成している。
【００６１】
編成組織Ｂは、位置Ｙ−１で閉じ目を形成し、右へ１ウェール分の振り幅として１コース分進み、位置Ｙ−２に至る。編成組織Ａは、位置Ｙ−２で閉じ目を形成し、左へ１ウェール分の振り幅として１コース分進み、位置Ｙ−３に至る。編成組織Ａは、位置Ｙ−３で閉じ目を形成し、右へ２ウェール分の振り幅として１コース分進み、位置Ｙ−４に至る。
【００６２】
編成組織Ａは、位置Ｙ−４で閉じ目を形成し、左へ１ウェール分の振り幅として１コース分進み、位置Ｙ−５に至る。編成組織Ａは、位置Ｙ−５で閉じ目を形成し、右へ１ウェール分の振り幅として１コース分進み、位置Ｙ−６に至る。編成組織Ａは、位置Ｙ−６で閉じ目を形成し、左へ２ウェール分の振り幅として１コース分進み、位置Ｙ−７に至る。そして、これらを繰り返し単位として、編成組織Ｂを形成する。
【００６３】
編成組織Ａ及び編成組織Ｂは、緯方向（ウェール方向）において、対象に配置されている。
【００６４】
図１２は、図１０中のパワーネットの組織図である。パワーネット２１の編成組織Ａ（４１Ａ）は、位置Ｙ−１において、コース上の位置Ｘ−１に編糸が配置されず、コースの位置Ｘ−２に編糸が配置されている。すなわち、位置Ｙ−１のウェール方向において、１つの間隔を空けて、複数の編成組織Ａが配置されている。位置Ｙ−１において、編成組織Ａは、ニードルの位置Ｘ−２、Ｘ−４、Ｘ−６、Ｘ−８、Ｘ−１０、Ｘ−１２、Ｘ−１４に配置されている。
【００６５】
パワーネット２１の編成組織Ｂ（５１Ｂ）は、位置Ｙ−１において、コースの位置Ｘ−１に編糸が配置されず、コースの位置Ｘ−２に編糸が配置されている。すなわち、位置Ｙ−１のウェール方向において、１つの間隔を空けて、複数の編成組織Ｂが配置されている。位置Ｙ−１において、編成組織Ｂは、コースの位置Ｘ−２、Ｘ−４、Ｘ−６、Ｘ−８、Ｘ−１０、Ｘ−１２に配置されている。パワーネット２１では、最も右側のコースの位置Ｘ−１４に編成組織Ａの編糸が配置されていない。
【００６６】
図１３は、図１０中のツーウェイラッセル３２の各組織を示す組織図である。ツーウェイラッセル３２は、編成組織Ａ（第１の非弾性糸、４１Ａ）と、編成組織Ｃ（６０Ｃ）と、を有する。
【００６７】
図１４は、図１０中のツーウェイラッセル３２を示す組織図である。ツーウェイラッセル３２の編成組織Ａ（４１Ａ）は、位置Ｙ−１において、コースの位置Ｘ−１５に編糸が配置されず、コースの位置Ｘ−１６、Ｘ−１７、…、Ｘ−２８に編糸が配置されている。位置Ｙ−１において、コースの位置Ｘ−１６以降、間隔を空けずに全てのコースに編成組織Ａの編糸が配置されている。
【００６８】
ツーウェイラッセル３２の編成組織Ｃ（６０Ｃ）は、位置Ｙ−１において、全てのコースの位置Ｘ−１５、Ｘ−１６、…、Ｘ−２８に編糸が配置されている。
【００６９】
図１５に示した組織図は、仮想的にコースの位置Ｘ−１４に編み込まれた第２境界組織Ｂ（５１Ｂ１４）と、コースの位置Ｘ−１５に編み込まれた第１境界組織Ａ（４１Ａ１５）とを取り除いた状態を示している。図１５中、下側に二重線を付している箇所は、上記第２境界組織Ｂ（５０Ｂ１４）と、第１境界組織Ａ（４０Ａ１５）とがそれぞれループしている箇所を参考に示したものである。また、第２境界組織Ｂと第１境界組織Ａとの非弾性糸は、コースＬ上でＹ−２、Ｙ−５、Ｙ−８、Ｙ−１１、・・・の位置でループを形成し、互いに締め合うように編成されている。このため、パワーネット２１とツーウェイラッセル３２とを引き離そうとする力が作用しても上記の２つの非弾性糸によって上記の力を分散して支持することができる。
【００７０】
ここで、第３実施形態の編地１２は、パワーネット２１とツーウェイラッセル３２との境界部において、パワーネット２１及びツーウェイラッセル３２の両方に編み込まれた第１境界組織Ａ（第１の非弾性糸、４１Ａ１５）及び第２境界組織Ｂ（第２の非弾性糸、５１Ｂ１４）を備えている。
【００７１】
第１境界組織Ａ（４１Ａ１５）は、上述した編成組織Ａ（４１Ａ）と同じ組織である。第１境界組織Ａの編糸は、位置Ｙ−１においては、コースの位置Ｘ−１５に配置されている。第１境界組織Ａは、位置Ｙ−１においては、Ｘ−１５の位置に閉じ目を形成し、左へ１ウェール分の振り幅として１コース分進み、位置Ｙ−２に至る。第１境界組織Ａは、位置Ｙ−２においては、コースの位置Ｌに閉じ目を形成し、右へ１ウェール分の振り幅として１コース分進み、位置Ｙ−３に至る。第１境界組織Ａは、位置Ｙ−３においては、Ｘ−１４の位置に閉じ目を形成し、左へ２ウェール分の振り幅として１コース分進み、位置Ｙ−４に至る。
【００７２】
第１境界組織Ａ（４１Ａ１５）は、位置Ｙ−４においては、Ｘ−１５の位置に閉じ目を形成し、右へ１ウェール分の振り幅として１コース分進み、位置Ｙ−５に至る。第１境界組織Ａは、位置Ｙ−５においては、コースＬの位置に開き目を形成し、左へ１ウェール分の振り幅として１コース分進み、位置Ｙ−６に至る。第１境界組織Ａは、位置Ｙ−６においては、Ｘ−１４の位置に閉じ目を形成し、右へ２ウェール分の振り幅として１コース分進み、位置Ｙ−７に至る。そして、これらを繰り返し単位として、編成組織を形成する。
【００７３】
第２境界組織Ｂ（５１Ｂ１４）は、上述した編成組織Ｂ（５１Ｂ）と同じ組織である。第２境界組織Ｂの編糸は、位置Ｙ−１においては、コースの位置Ｘ−１４に配置されている。第２境界組織Ｂは、位置Ｙ−１においては、Ｘ−１４の位置に閉じ目を形成し、右へ１ウェール分の振り幅として１コース分進み、位置Ｙ−２に至る。第２境界組織Ｂは、位置Ｙ−２においては、Ｘ−１４の位置に閉じ目を形成し、左へ１ウェール分の振り幅として１コース分進み、位置Ｙ−３に至る。第２境界組織Ｂは、位置Ｙ−３においては、Ｘ−１４の位置に閉じ目を形成し、右へ２ウェール分の振り幅として１コース分進み、位置Ｙ−４に至る。
【００７４】
第２境界組織Ｂ（５１Ｂ１４）は、位置Ｙ−４においては、Ｘ−１５の位置に閉じ目を形成し、左へ１ウェール分の振り幅として１コース分進み、位置Ｙ−５に至る。第２境界組織Ｂは、位置Ｙ−５においては、コースＬの位置に閉じ目を形成し、右へ１ウェール分の振り幅として１コース分進み、位置Ｙ−６に至る。第１境界組織Ａは、位置Ｙ−６においては、Ｘ−１４の位置に閉じ目を形成し、左へ２ウェール分の振り幅として１コース分進み、位置Ｙ−７に至る。そして、これらを繰り返し単位として、編成組織を形成する。
【００７５】
第１境界組織Ａ（４１Ａ１５）及び第２編成組織Ｂ（５１Ｂ１４）は、パワーネット２１とツーウェイラッセル３２との間の境界線Ｌを挟んで緯方向（ウェール方向）に対象に配置されている。
【００７６】
このように構成された第３実施形態に係る編地１２によれば、第１境界組織Ａがパワーネット２１及びツーウェイラッセル３２の両方に編み込まれ、第２境界組織Ｂがパワーネット２１及びツーウェイラッセル３２の両方に編み込まれている。これにより、パワーネット２１及びツーウェイラッセル３２の境界部及びその近傍のループ欠損を無くすことができるので、従前と比較して引き裂き強度を向上させることができる。その結果、品質が向上された伸縮性経編地を実現することができる。
【００７７】
（第４実施形態）
次に第４実施形態に係る伸縮性経編地について説明する。図１６は、本発明の第４実施形態に係る伸縮性経編地１３の組織図である。図１６に示す第４実施形態に係る編地１３が、図１０に示す第３実施形態の編地１２と違う点は、ツーウェイラッセル３３に挿入組織８０Ｅが編み込まれている点である。なお、上述した実施形態と同一の説明については、省略する。
【００７８】
図１６に示す編地１３は、パワーネット２１とツーウェイラッセル３３とを備えている。図１７は、図１６中のツーウェイラッセル３３の各組織を示す組織図である。ツーウェイラッセル３３は、編成組織Ａ（第１の非弾性糸、４１Ａ）と、編成組織Ｃ（６０Ｃ）と、挿入組織Ｅ（８０Ｅ）と、を有する。ここで、ツーウェイラッセル３３の引き伸ばされたときの復元力は、パワーネット２１が引き伸ばされたときの復元力よりも相対的に大きくなるように設定されている。
【００７９】
ツーウェイラッセル３３の挿入組織Ｅ（８０Ｅ）は、位置Ｙ−１において、ニードルの位置Ｘ−１２以降、間隔を空けずに全てのコースに挿入組織Ｅの編糸が配置されている。
【００８０】
ここで、第４実施形態の編地１３は、パワーネット２１とツーウェイラッセル３３との境界部において、パワーネット２１及びツーウェイラッセル３３の両方に編み込まれた第１境界組織Ａ（第７の組織、４１Ａ１５）及び第２境界組織Ｂ（第８の組織、５１Ｂ１４）を備えている。第１境界組織Ａ及び第２境界組織Ｂは、第３実施形態と同じである。
【００８１】
本実施形態においても、上記第３実施形態と同様の効果を得ることができる。
【００８２】
（第５実施形態）
次に第５実施形態に係る伸縮性経編地について説明する。図１８は、本発明の第５実施形態に係る伸縮性編地のツーウェイラッセルの各組織を示す組織図である。第５実施形態に係る編地が、第４実施形態の編地１３と違う点は、挿入組織８０Ｅを有するツーウェイラッセルに代えて、挿入組織８１Ｅを有するツーウェイラッセルが編み込まれている点である。なお、上述した実施形態と同一の説明については、省略する。
【００８３】
第５実施形態に係る編地のツーウェイラッセルは、編成組織Ａ（第１の非弾性糸、４１Ａ）と、編成組織Ｃ（６０Ｃ）と、挿入組織Ｅ（８１Ｅ）と、を有する。なお、本実施形態に係るツーウェイラッセルは、パワーネット２１が引き伸ばされたときに生じる復元力よりも相対的に大きな復元力を引き伸ばされたときに生じるように形成されている。
【００８４】
挿入組織Ｅ（８１Ｅ）を編成する際の筬の動きは、２２／１１／２２／００／１１／００／／で表現することができる。挿入組織Ｅ（８１Ｅ）の編糸は、弾性糸からなる。挿入組織Ｅは、位置Ｙ−１から右へ１ウェール分の振り幅として１コース進み、位置Ｙ−２に至る。挿入組織Ｅは、位置Ｙ−２から左へ１ウェール分の振り幅として１コース進み、位置Ｙ−３に至る。挿入組織Ｅは、位置Ｙ−３から右へ２ウェール分の振り幅として１コース進み、位置Ｙ−４に至る。
【００８５】
挿入組織Ｅは、位置Ｙ−４から左へ１ウェール分の振り幅として１コース進み、位置Ｙ−５に至る。挿入組織Ｅは、位置Ｙ−５から右へ１ウェール分の振り幅として１コース進み、位置Ｙ−６に至る。挿入組織Ｅは、位置Ｙ−６から左へ２ウェール分の振り幅として１コース進み、位置Ｙ−７に至る。そして、これらを繰り返し単位として、挿入組織Ｅを形成する。
【００８６】
（第６実施形態）
次に第６実施形態に係る伸縮性経編地について説明する。図１９は、本発明の第６実施形態に係る伸縮性経編地１４の組織図である。図１９に示す第６実施形態に係る編地１４が、図７に示す第２実施形態の編地１２と違う点は、編成組織Ａ及び編成組織Ｂの編糸の配置が異なる点である。なお、上述した実施形態と同一の説明については、省略する。
【００８７】
図１９に示す編地１４は、パワーネット２２とツーウェイラッセル３４とを備えている。パワーネット２２とツーウェイラッセル３４とは、ウェール方向に隣接している。ツーウェイラッセル３４は、パワーネット２２が引き伸ばされたときに生じる復元力よりも相対的に大きな復元力を引き伸ばされたときに生じるように形成されている。
【００８８】
パワーネット２２は、編成組織Ａ（第１の非弾性糸、４２Ａ）と、編成組織Ｂ（第２の非弾性糸、５２Ｂ）と、編成組織Ｃ（６０Ｃ）と、編成組織Ｄ（７０Ｄ）と、を有する。
【００８９】
図２０は、図１９中のパワーネット２２の各組織を示す組織図である。編成組織Ａ（４２Ａ）を編成する際の筬の動きは、１０／０１／１２／２３／３２／２１／／で表現することができる。編成組織Ａの編糸は、非弾性糸（第１の非弾性糸）からなる。編成組織Ａは、１コース進むごとにループを形成している。
【００９０】
編成組織Ａ（４２Ａ）は、位置Ｙ−１で開き目を形成し、ウェール方向には移動せず１コース分進み、位置Ｙ−２に至る。編成組織Ａは、位置Ｙ−２で開き目を形成し、左へ１ウェール分の振り幅として１コース分進み、位置Ｙ−３に至る。編成組織Ａは、位置Ｙ−３で開き目を形成し、左へ１ウェール分の振り幅として１コース分進み、位置Ｙ−４に至る。
【００９１】
編成組織Ａ（４２Ａ）は、位置Ｙ−４で開き目を形成し、右へ１ウェール分の振り幅として１コース分進み、位置Ｙ−５に至る。編成組織Ａは、位置Ｙ−５で開き目を形成し、右へ１ウェール分の振り幅として１コース分進み、位置Ｙ−６に至る。編成組織Ａは、位置Ｙ−６で開き目を形成し、右へ１ウェール分の振り幅として１コース分進み、位置Ｙ−７に至る。そして、これらを繰り返し単位として、編成組織Ａを形成する。
【００９２】
編成組織Ｂ（５２Ｂ）を編成する際の筬の動きは、２３／３２／２１／１０／０１／１２／／で表現することができる。編成組織Ｂの編糸は、非弾性糸（第２の非弾性糸）からなる。編成組織Ｂは、コース方向に１コース進むごとに、ループを形成している。
【００９３】
編成組織Ｂ（５２Ｂ）は、位置Ｙ−１で開き目を形成し、ウェール方向には移動せず１コース分進み、位置Ｙ−２に至る。編成組織Ｂは、位置Ｙ−２で開き目を形成し、右へ１ウェール分の振り幅として１コース分進み、位置Ｙ−３に至る。編成組織Ｂは、位置Ｙ−３で開き目を形成し、右へ１ウェール分の振り幅として１コース分進み、位置Ｙ−４に至る。
【００９４】
編成組織Ｂ（５２Ｂ）は、位置Ｙ−４で開き目を形成し、左へ１ウェール分の振り幅として１コース分進み、位置Ｙ−５に至る。編成組織Ｂは、位置Ｙ−５で開き目を形成し、左へ１ウェール分の振り幅として１コース分進み、位置Ｙ−６に至る。編成組織Ｂは、位置Ｙ−６で開き目を形成し、左へ１ウェール分の振り幅として１コース分進み、位置Ｙ−７に至る。そして、これらを繰り返し単位として、編成組織Ｂを形成する。
【００９５】
編成組織Ａ（４２Ａ）及び編成組織Ｂ（５２Ｂ）は、緯方向（ウェール方向）において、対象に配置されている。
【００９６】
図２１は、図１９中のパワーネット２２の組織図である。パワーネット２２は、アトラス組織の変化組織とも表現することができる。パワーネット２２の編成組織Ａ（４２Ａ）は、位置Ｙ−１において、コースの位置Ｘ−１に編糸が配置されず、コースの位置Ｘ−２に編糸が配置されている。すなわち、位置Ｙ−１のウェール方向において、１つの間隔を空けて、複数の編成組織Ａが配置されている。位置Ｙ−１において、編成組織Ａは、コース上の位置Ｘ−２、Ｘ−４、Ｘ−６、Ｘ−８、Ｘ−１０、Ｘ−１２、Ｘ−１４に配置されている。
【００９７】
パワーネット２２の編成組織Ｂ（５２Ｂ）は、位置Ｙ−１において、コースの位置Ｘ−１に編糸が配置されず、コースの位置Ｘ−２に編糸が配置されている。すなわち、位置Ｙ−１のウェール方向において、１つの間隔を空けて、複数の編成組織Ｂが配置されている。位置Ｙ−１において、編成組織Ｂは、コース上の位置Ｘ−２、Ｘ−４、Ｘ−６、Ｘ−８、Ｘ−１０、Ｘ−１２に配置されている。パワーネット２２では、最も右側のコース上の位置Ｘ−１４に編成組織Ｂの編糸が配置されていない。
【００９８】
図２２は、図１９中のツーウェイラッセル３４の各組織を示す組織図である。ツーウェイラッセル３４は、編成組織Ａ（４２Ａ）と、編成組織Ｃ（６０Ｃ）と、挿入組織Ｅ（８０Ｅ）と、を有する。
【００９９】
図２３は、図１９中のツーウェイラッセル３４の組織図である。ツーウェイラッセル３４の編成組織Ａ（４２Ａ）は、位置Ｙ−１において、コースの位置Ｘ−１５に編糸が配置されず、コースの位置Ｘ−１６、Ｘ−１７、…、Ｘ−２８に編糸が配置されている。位置Ｙ−１において、コースの位置Ｘ−１６以降、間隔を空けずに全てのコースに編成組織Ａの編糸が配置されている。
【０１００】
ツーウェイラッセル３４の編成組織Ｃ（６０Ｃ）及び編成組織Ｅ（８０Ｅ）は、位置Ｙ−１において、全てのコースにＸ−１５、Ｘ−１６、…、Ｘ−２８に編糸が配置されている。
【０１０１】
図２４に示した組織図は、仮想的にコースの位置Ｘ−１４に編み込まれた第２境界組織Ｂ（５２Ｂ１４）と、コースの位置Ｘ−１５に編み込まれた第１境界組織Ａ（４２Ａ１５）とを取り除いた状態を示している。図２４中、下側に二重線を付している箇所は、上記第２境界組織Ｂ（５２Ｂ１４）と、第１境界組織Ａ（４２Ａ１５）とがそれぞれループしている箇所を参考に示したものである。また、第２境界組織Ｂと第１境界組織Ａとの非弾性糸は、コースＬ上でＹ−３、Ｙ−６、Ｙ−９、Ｙ−１２、・・・の位置でループを形成し、互いに締め合うように編成されている。このため、パワーネット２２とツーウェイラッセル３４とを引き離そうとする力が作用しても上記の２つの非弾性糸によって上記の力を分散して支持することができる。
【０１０２】
ここで、第６実施形態の編地１４は、図１９に示すように、パワーネット２２とツーウェイラッセル３４との境界部において、パワーネット２２及びツーウェイラッセル３４の両方に編み込まれた第１境界組織Ａ（第７の組織、４２Ａ１５）及び第２境界組織Ｂ（第８の組織、５２Ｂ１４）を備えている。第１境界組織Ａ及び第２境界組織Ｂは、図１９において太線で図示されている。
【０１０３】
このように構成された第６実施形態に係る編地１４によれば、第１境界組織Ａがパワーネット２２及びツーウェイラッセル３４の両方に編み込まれ、第２境界組織Ｂがパワーネット２２及びツーウェイラッセル３４の両方に編み込まれている。これにより、パワーネット２２及びツーウェイラッセル３４の境界部及びその近傍のループ欠損を無くすことができるので、従前と比較して引き裂き強度を向上させることができる。その結果、品質が向上された伸縮性経編地を実現することができる。
【０１０４】
なお、本実施形態では、挿入組織Ｅ（８０Ｅ）は、ウェール方向への振り幅が３コース分である例を挙げているが、本発明はこれに限定されるものではない。例えば、図３２に示すようにウェール方向への振り幅が２コース分となる挿入組織８１Ｅを上記の挿入組織Ｅ（８０Ｅ）の代わりに用いてもよい。なお、挿入組織８１Ｅは、ウェール方向への振り幅が異なる以外は挿入組織Ｅ（８０Ｅ）と同様の構成を有する組織である。
【０１０５】
（第７実施形態）
次に第７実施形態に係る伸縮性経編地１５について説明する。図２５は、本発明の第７実施形態に係る伸縮性経編地１５の組織図である。図２５に示す第７実施形態に係る編地１５が、図７に示す第２実施形態の編地１２と違う点は、編成組織Ａ、編成組織Ｂ及び挿入組織Ｅの編糸の配置が異なる点である。なお、上述した実施形態と同一の説明については、省略する。
【０１０６】
図２５に示す編地１５は、パワーネット２３とツーウェイラッセル３５とを備えている。パワーネット２３とツーウェイラッセル３５とは、ウェール方向に隣接している。ツーウェイラッセル３５は、パワーネット２３が引き伸ばされたときに生じる復元力よりも相対的に大きな復元力を引き伸ばされたときに生じるように形成されている。
【０１０７】
パワーネット２３は、編成組織Ａ（第１の非弾性糸、４３Ａ）と、編成組織Ｂ（第２非弾性糸、５３Ｂ）と、編成組織Ｃ（６０Ｃ）と、編成組織Ｄ（７０Ｄ）と、を有する。
【０１０８】
図２６は、図２５中のパワーネット２３の各組織を示す組織図である。編成組織Ａ（４３Ａ）を編成する際の筬の動きは、１０／１２／２１／２３／２１／２３／２１／１２／／で表現することができる。編成組織Ａの編糸は、非弾性糸（第１の非弾性糸）からなる。編成組織Ａは、コース方向に１コース進むごとにループを形成している。
【０１０９】
編成組織Ａ（４３Ａ）は、位置Ｙ−１で閉じ目を形成し、左へ１ウェール分の振り幅として１コース分進み、位置Ｙ−２に至る。編成組織Ａは、位置Ｙ−２で開き目を形成し、ウェール方向には移動せず１コース分進み、位置Ｙ−３に至る。編成組織Ａは、位置Ｙ−３で閉じ目を形成し、左へ１ウェール分の振り幅として１コース分進み、位置Ｙ−４に至る。
【０１１０】
編成組織Ａ（４３Ａ）は、位置Ｙ−４で閉じ目を形成し、右へ１ウェール分の振り幅として１コース分進み、位置Ｙ−５に至る。編成組織Ａは、位置Ｙ−５で閉じ目を形成し、左へ１ウェール分の振り幅として１コース分進み、位置Ｙ−６に至る。編成組織Ａは、位置Ｙ−６で閉じ目を形成し、右へ１ウェール分の振り幅として１コース分進み、位置Ｙ−７に至る。
【０１１１】
編成組織Ａ（４３Ａ）は、位置Ｙ−７で開き目を形成し、ウェール方向には移動せず１コース分進み、位置Ｙ−８に至る。編成組織Ａは、位置Ｙ−８で閉じ目を形成し、右へ１ウェール分の振り幅として１コース分進み、位置Ｙ−９に至る。そして、これらを繰り返し単位として、編成組織Ａを形成する。
【０１１２】
編成組織Ｂ（５３Ｂ）を編成する際の筬の動きは、２３／２１／１２／１０／１２／１０／１２／２１／／で表現することができる。編成組織Ｂの編糸は、非弾性糸（第２の非弾性糸）からなる。編成組織Ｂは、コース方向に１コース進むごとにループを形成している。
【０１１３】
編成組織Ｂ（５３Ｂ）は、位置Ｙ−１で閉じ目を形成し、右へ１ウェール分の振り幅として１コース分進み、位置Ｙ−２に至る。編成組織Ｂは、位置Ｙ−２で開き目を形成し、ウェール方向には移動せず１コース分進み、位置Ｙ−３に至る。編成組織Ｂは、位置Ｙ−３で閉じ目を形成し、右へ１ウェール分の振り幅として１コース分進み、位置Ｙ−４に至る。
【０１１４】
編成組織Ｂ（５３Ｂ）は、位置Ｙ−４で閉じ目を形成し、左へ１ウェール分の振り幅として１コース分進み、位置Ｙ−５に至る。編成組織Ｂは、位置Ｙ−５で閉じ目を形成し、右へ１ウェール分の振り幅として１コース分進み、位置Ｙ−６に至る。編成組織Ｂは、位置Ｙ−６で閉じ目を形成し、左へ１ウェール分の振り幅として１コース分進み、位置Ｙ−７に至る。
【０１１５】
編成組織Ｂ（５３Ｂ）は、位置Ｙ−７で開き目を形成し、ウェール方向には移動せず１コース分進み、位置Ｙ−８に至る。編成組織Ａは、位置Ｙ−８で閉じ目を形成し、右へ１ウェール分の振り幅として１コース分進み、位置Ｙ−９に至る。そして、これらを繰り返し単位として、編成組織Ａを形成する。
【０１１６】
編成組織Ａ（４３Ａ）及び編成組織Ｂ（５３Ｂ）は、緯方向（ウェール方向）において、対象に配置されている。
【０１１７】
図２７は、図２５中のパワーネット２３の組織図である。パワーネット２３の編成組織Ａ（４３Ａ）は、位置Ｙ−１において、コースの位置Ｘ−１に編糸が配置されず、コースの位置Ｘ−２に編糸が配置されている。すなわち、位置Ｙ−１のウェール方向において、１つの間隔を空けて、複数の編成組織Ａが配置されている。位置Ｙ−１において、編成組織Ａは、コースの位置Ｘ−２、Ｘ−４、Ｘ−６、Ｘ−８、Ｘ−１０、Ｘ−１２、Ｘ−１４に配置されている。
【０１１８】
パワーネット２３の編成組織Ｂ（５３Ｂ）は、位置Ｙ−１において、コースの位置Ｘ−１に編糸が配置されず、コースの位置Ｘ−２に編糸が配置されている。すなわち、位置Ｙ−１のウェール方向において、１つの間隔を空けて、複数の編成組織Ｂが配置されている。位置Ｙ−１において、編成組織Ｂは、コースの位置Ｘ−２、Ｘ−４、Ｘ−６、Ｘ−８、Ｘ−１０、Ｘ−１２、Ｘ−１４に配置されている。
【０１１９】
図２８は、図２５中のツーウェイラッセル３５の各組織を示す組織図である。ツーウェイラッセル３５は、編成組織Ａ（第１の非弾性糸、４３Ａ）と、編成組織Ｃ（６０Ｃ）と、挿入組織Ｅ（８２Ｅ）と、を有する。
【０１２０】
挿入組織Ｅ（８２Ｅ）を編成する際の筬の動きは、３３／２２／３３／００／１１／００／１１／００／／で表現することができる。挿入組織Ｅ（８２Ｅ）の編糸は、弾性糸からなる。挿入組織Ｅは、位置Ｙ−１から右へ１ウェール分の振り幅として１コース進み、位置Ｙ−２に至る。挿入組織Ｅは、位置Ｙ−２から左へ１ウェール分の振り幅として１コース進み、位置Ｙ−３に至る。挿入組織Ｅは、位置Ｙ−３から右へ３ウェール分の振り幅として１コース進み、位置Ｙ−４に至る。
【０１２１】
挿入組織Ｅ（８２Ｅ）は、位置Ｙ−４から左へ１ウェール分の振り幅として１コース進み、位置Ｙ−５に至る。挿入組織Ｅは、位置Ｙ−５から右へ１ウェール分の振り幅として１コース進み、位置Ｙ−６に至る。挿入組織Ｅは、位置Ｙ−６から左へ１ウェール分の振り幅として１コース進み、位置Ｙ−７に至る。
【０１２２】
挿入組織Ｅ（８２Ｅ）は、位置Ｙ−７から右へ１ウェール分の振り幅として１コース進みＹ−８に至る。挿入組織Ｅは、位置Ｙ−８から左へ３ウェール分の振り幅として１コース進み、位置Ｙ−９に至る。そして、これらを繰り返し単位として、挿入組織Ｅを形成する。
【０１２３】
図２９は、図２５中のツーウェイラッセル３５の組織図である。ツーウェイラッセル３５の編成組織Ａ（４３Ａ）は、位置Ｙ−１において、コースの位置Ｘ−１５に編糸が配置されず、コースの位置Ｘ−１６、Ｘ−１７、…、Ｘ−２８に編糸が配置されている。位置Ｙ−１において、コースの位置Ｘ−１６以降、間隔を空けずに全てのコースの位置に編成組織Ａの編糸が配置されている。
【０１２４】
ツーウェイラッセル３５の編成組織Ｃ（６０Ｃ）及び挿入組織Ｅ（８２Ｅ）は、位置Ｙ−１において、全てのコースの位置Ｘ−１５、Ｘ−１６、…、Ｘ−２８に編糸が配置されている。
【０１２５】
図３０に示した組織図は、仮想的にコースの位置Ｘ−１４に編み込まれた第２境界組織Ｂ（５３Ｂ１４）と、コースの位置Ｘ−１５に編み込まれた第１境界組織Ａ（４３Ａ１５）とを取り除いた状態を示している。図２４中、下側に二重線を付している箇所は、上記第２境界組織Ｂ（５３Ｂ１４）と、第１境界組織Ａ（４３Ａ１５）とがそれぞれループしている箇所を参考に示したものである。また、第２境界組織Ｂと第１境界組織Ａとの非弾性糸は、コースＬ上でＹ−２、Ｙ−３、Ｙ−５、Ｙ−７、Ｙ−８、・・・の位置でループを形成し、互いに締め合うように編成されている。このため、パワーネット２２とツーウェイラッセル３４とを引き離そうとする力が作用しても上記の２つの非弾性糸によって上記の力を分散して支持することができる。
【０１２６】
ここで、第７実施形態の編地１０は、パワーネット２３とツーウェイラッセル３５との境界部において、パワーネット２３及びツーウェイラッセル３５の両方に編み込まれた第１境界組織Ａ（第７の組織、４３Ａ１５）及び第２境界組織Ｂ（第８の組織、５３Ｂ１４）を備えている。第１境界組織Ａ及び第２境界組織Ｂは、図２５において太線で図示されている。
【０１２７】
第１境界組織Ａ（４３Ａ１５）及び第２編成組織Ｂ（５３Ｂ１４）は、パワーネット２３とツーウェイラッセル３５との間の境界線Ｌを挟んで緯方向（ウェール方向）に対称に配置されている。
【０１２８】
このように構成された第７実施形態に係る編地１５によれば、第１境界組織Ａがパワーネット２３及びツーウェイラッセル３５の両方に編み込まれ、第２境界組織Ｂがパワーネット２３及びツーウェイラッセル３５の両方に編み込まれている。これにより、パワーネット２３及びツーウェイラッセル３５の境界部及びその近傍のループ欠損を無くすことができるので、従前と比較して引き裂き強度を向上させることができる。その結果、品質が向上された伸縮性経編地を実現することができる。
【０１２９】
なお、本実施形態では、挿入組織Ｅ（８２Ｅ）は、ウェール方向への振り幅が３コース分である例を挙げているが、本発明はこれに限定されるものではない。例えば、図３３に示すようにウェール方向への振り幅が２コース分となる挿入組織８３Ｅを上記の挿入組織Ｅ（８２Ｅ）の代わりに用いてもよい。なお、挿入組織８１Ｅは、ウェール方向への振り幅が異なる以外は挿入組織Ｅ（８２Ｅ）と同様の構成を有する組織である。
【０１３０】
以上、本発明をその実施形態に基づき具体的に説明したが、本発明は、上記実施形態に限定されるものではない。上記実施形態では、ネット編地をパワーネットとしているが、その他の編成組織を有する編地でもよい。上記実施形態では、ツーウェイ編地をツーウェイラッセルとしているが、その他の編成組織を有する編地でもよい。
【符号の説明】
【０１３１】
１０，１１，１２，１３，１４，１５…編地（伸縮性経編地）
２０，２１，２２，２３…パワーネット（ネット部、ネット編地）
３０，３１，３２，３３，３４，３５…ツーウェイラッセル（パワー部、ツーウェイ編地）
４０Ａ，４１Ａ，４２Ａ，４３Ａ…編成組織Ａ（第１の非弾性糸）
４０Ａ１５，４１Ａ１５，４２Ａ１５，４３Ａ１５…第１境界組織Ａ（第１の非弾性糸）
５０Ｂ，５１Ｂ，５２Ｂ，５３Ｂ…編成組織Ｂ（第２の非弾性糸）
５０Ｂ１４，５１Ｂ１４，５２Ｂ１４，５３Ｂ１４…第２境界組織Ｂ（第２の非弾性糸）
６０Ｃ…編成組織Ｃ
７０Ｄ…編成組織Ｄ
８０Ｅ，８１Ｅ，８２Ｅ，８３Ｅ…挿入組織Ｅ
Ｌ…境目のコース
【図１】
2013234399.tif 000003
【図２】
2013234399.tif 000004
【図３】
2013234399.tif 000005
【図４】
2013234399.tif 000006
【図５】
2013234399.tif 000007
【図６】
2013234399.tif 000008
【図７】
2013234399.tif 000009
【図８】
2013234399.tif 000010
【図９】
2013234399.tif 000011
【図１０】
2013234399.tif 000012
【図１１】
2013234399.tif 000013
【図１２】
2013234399.tif 000014
【図１３】
2013234399.tif 000015
【図１４】
2013234399.tif 000016
【図１５】
2013234399.tif 000017
【図１６】
2013234399.tif 000018
【図１７】
2013234399.tif 000019
【図１８】
2013234399.tif 000020
【図１９】
2013234399.tif 000021
【図２０】
2013234399.tif 000022
【図２１】
2013234399.tif 000023
【図２２】
2013234399.tif 000024
【図２３】
2013234399.tif 000025
【図２４】
2013234399.tif 000026
【図２５】
2013234399.tif 000027
【図２６】
2013234399.tif 000028
【図２７】
2013234399.tif 000029
【図２８】
2013234399.tif 000030
【図２９】
2013234399.tif 000031
【図３０】
2013234399.tif 000032
【図３１】
2013234399.tif 000033
【図３２】
2013234399.tif 000034
【図３３】
2013234399.tif 000035